(57)【要約】      （修正有）【課題】ディスプレイ装置のハード機構上に照明用の光源を設け、照明用光源は発光ダイオード、白熱電球などを用い照明機能を備えるディスプレイ装置を提供する。【解決手段】照明を備えるディスプレイ装置であり、従来の画像表示機能のみのディスプレイ装置と違い、ディスプレイ装置ケース機構上に照明用光源を設け、照明用光源は発光ダイオード（ＬＥＤ）、白熱電球又はハロゲンランプなどがあり、使用者に照明を提供する。又、使用者は好みによりランプシェードや照明モードに切り替えることが出来る。【選択図】図１
0003149804.tif 000002
【実用新案登録請求の範囲】
【請求項１】
照明機能を備えるディスプレイ装置は以下の部分を含む：
一本体、ケース状の機構を設け、本体に画像表示機能を持つディスプレイ及び；
一照明部、照明部には照明用光源を設け；
その中、照明部は本体のケース状機構に設けられている。
【請求項２】
前記照明があるディスプレイ装置の本体はディスプレイ、テレビまたはデジタルフォトフレームなどの形態であることを特徴とする請求項1に記載する照明を備えるディスプレイ装置。
【請求項３】
前記照明があるディスプレイ装置の本体については一本のスタンドと一つの台座があり、スタンドは本体を支え台座と連結しているものであることを特徴とする請求項２に記載する照明を備えるディスプレイ装置。
【請求項４】
前記照明があるディスプレイ装置の本体と照明部には共同の電源を備えていることを特徴とする請求項３に記載する照明を備えるディスプレイ装置。  
【請求項５】
前記照明があるディスプレイ装置の本体と照明部にはひとつづつ独立した電源を備えている  ことを特徴とする請求項４に記載する照明を備えるディスプレイ装置。
【請求項６】
前記照明があるディスプレイ装置の照明部の電源には多段切り替え式照明モジュールを備えていることを特徴とする請求項５に記載する照明を備えるディスプレイ装置。
【請求項７】
前記照明があるディスプレイ装置の照明部には複数の発光コンポーネントを備える、また発光コンポーネントにはＬＥＤ、白熱電球又はハロゲンランプが使われることを特徴とする請求項６に記載する照明を備えるディスプレイ装置。
【請求項８】
前記照明があるディスプレイ装置の照明部は本体ケース機構の上面、両側、底部、正面、背面そして四辺の角などに設置される物であることを特徴とする請求項７に記載する照明を備えるディスプレイ装置。
【請求項９】
前記照明があるディスプレイ装置の照明部は本体ケース機構のスタンド又は台座の上に設置される物であることを特徴とする請求項６に記載する照明を備えるディスプレイ装置。  
【請求項１０】
前記照明があるディスプレイ装置には少なくとも一つのランプシェードが設置でき、該当する照明部をシェードできることを特徴とする請求項８及び９に記載する照明を備えるディスプレイ装置。
【考案の詳細な説明】
【技術分野】
【０００１】
本考案は、ディスプレイ装置のハード機構上に照明用の光源を設け、照明用光源は発光ダイオード（ＬＥＤ）、白熱電球又はハロゲンランプなどを用い照明機能を備えるディスプレイ装置に関するものです。
【背景技術】
【０００２】
ディスプレイ装置はブラウン管テレビから現在の技術まで発展し、現在多く見られるディスプレイ装置はサイズと画質から選ばれており、多くは液晶、プラズマやプロジェクターなどの技術を要した製品で、ディスプレイ、テレビやデジタルフォトフレームなどの製品に応用され、従来にはこのような単に映像を映し出す機能のみの製品でした、考案者は機能の単一性に関し他の機能の増加について考えました
【０００３】
考案者の観察により、ディスプレイ装置に照明の機能もあると実用性向上から、研究を重ね新製品の考案をし、従来の製品の改良を致しました。
【考案の概要】
【考案が解決しようとする課題】
【０００４】
この考案は、照明機能を備えるディスプレイ装置です、ディスプレイ装置のケース機構上に照明用光源を装着しています。
【課題を解決するための手段】
【０００５】
本考案は、照明機能を備えるディスプレイ装置です、本体にケース状機構を設け、本体は画像表示機能があるディスプレイで、照明部を設け、照明部は照明用光源があり照明部は本体のケース機構上に設けています。
【図面の簡単な説明】
【０００６】
【図１】照明があるディスプレイ装置考案の最良の実施形態１。
【図２】照明があるディスプレイ装置考案の最良の実施形態２。
【図３】照明があるディスプレイ装置考案の最良の実施形態３。
【図４】照明があるディスプレイ装置考案の最良の実施形態４。
【実施例】
【０００７】
本考案の目的、特徴及び機能への理解のため、以下の具体的な実施例を挙げ、図式を併せ以下にて説明いたします。
【０００８】
図１を参照してください、図１は本考案を実施するための最良の形態例一です、一本体（１）と一照明部（１０）を含みます。本体（１）はケース機構を設け、画像表示機能を持つディスプレイで、ディスプレイ、テレビまたはデジタルフォトフレームなどの形態があります。本体（１）は一本のスタンド（２）、一台座（３）または壁掛け（図なし）により固定し設置するができ、照明部（１０）には照明用光源を設けます、例えば：発光ダイオード（ＬＥＤ）、白熱電球などにより構成され、本実施例一の照明部（１０）は本体（１）のケース機構上四つの角（四辺角）に設けられ、照明部（１０）には更にランプシェードを装着でき、使用者の好みでカラーやデザインを変えることができます、例えば：花型、蝶型、ダブルハート型などいろいろなデザインがあります。
【０００９】
前述の照明を備えるディスプレイ装置での本体（１）が必要とする電源は外部電源から電力が提供され、照明部（１０）が必要とする電源は本体（１）から電源分配または外部電源から供給することができます、外部電源は交流または直流電源（電池）を要します。使用者は実際使用する際に、本体（１）と照明部（１０）に共同の電源を用いることが出来、または分かれて独立した電源スイッチを設けることも出来ます、これにより使用者は個別にディスプレイ装置か照明部（１０）を単独して使うことが出来、且つ同時にディスプレイ装置と照明部（１０）を使うことも出来ます、前述の照明部（１０）の電源は更に多段調整式照明モジュールを使い、照明の位置や光度を調整することも出来ます。
【００１０】
図２を参照してください、図２は本考案を実施するための最良の形態例二です、一本体（１）と一照明部（１１）を含みます。本体（１）はケース機構を設け、画像表示機能を持つディスプレイで、ディスプレイ、テレビまたはデジタルフォトフレームなどの形態があります、本体（１）は一本のスタンド（２）、一台座（３）または壁掛け（図なし）により固定し設置するができ、照明部（１１）には照明用光源を設けます、例えば：発光ダイオード（ＬＥＤ）、白熱電球などにより構成され、本実施例一の照明部（１１）は本体（１）のケース機構上四つの角（四辺角）に設けられ、照明部（１１）には更にランプシェードを装着でき、使用者の好みでカラーやデザインを変えることができます、例えば：花型、蝶型、ダブルハート型などいろいろなデザインがあります。
【００１１】
前述の照明を備えるディスプレイ装置での本体（１）が必要とする電源は外部電源から電力が提供され、照明部（１１）が必要とする電源は本体（１）から電源分配または外部電源から供給することができます、外部電源は交流または直流電源（電池）を要します。使用者は実際使用する際に、本体（１）と照明部（１１）に共同の電源を用いることが出来、または分かれて独立した電源スイッチを設けることも出来ます、これにより使用者は個別にディスプレイ装置か照明部（１１）を単独して使うことが出来、且つ同時にディスプレイ装置と照明部（１１）を使うことも出来ます。前述の照明部（１１）の電源は更に多段調整式照明モジュールを使い、照明の位置や光度を調整することも出来ます。
【００１２】
図３を参照してください、図3は本考案を実施するための最良の形態例三です。一本体（１）と一照明部（１２）を含みます。本体（１）はケース機構を設け、画像表示機能を持つディスプレイで、ディスプレイ、テレビまたはデジタルフォトフレームなどの形態があります、本体（１）は一本のスタンド（２）、一台座（３）または壁掛け（図なし）により固定し設置するができ、照明部（１２）には照明用光源を設けます、例えば：発光ダイオード（ＬＥＤ）、白熱電球などにより構成され、本実施例一の照明部（１２）は本体（１）のケース機構上四つの角（四辺角）に設けられ、照明部（１２）には更にランプシェードを装着でき、使用者の好みでカラーやデザインを変えることができます、例えば：花型、蝶型、ダブルハート型などいろいろなデザインがあります。
【００１３】
前述の照明を備えるディスプレイ装置での本体（１）が必要とする電源は外部電源から電力が提供され、照明部（１２）が必要とする電源は本体（１）から電源分配または外部電源から供給することができます、外部電源は交流または直流電源（電池）を要します。使用者は実際使用する際に、本体（１）と照明部（１２）に共同の電源を用いることが出来、または分かれて独立した電源スイッチを設けることも出来ます、これにより使用者は個別にディスプレイ装置か照明部（１２）を単独して使うことが出来、且つ同時にディスプレイ装置と照明部（１２）を使うことも出来ます、前述の照明部（１２）の電源は更に多段調整式照明モジュールを使い、照明の位置や光度を調整することも出来ます。
【００１４】
図４を参照してください、図４は本考案を実施するための最良の形態例四です、一本体（１）と一照明部（１３）を含みます。本体（１）はケース機構を設け、画像表示機能を持つディスプレイで、ディスプレイ、テレビまたはデジタルフォトフレームなどの形態があります、本体（１）は一本のスタンド（２）、一台座（３）または壁掛け（図なし）により固定し設置するができ、照明部（１３）には照明用光源を設けます、例えば：発光ダイオード（ＬＥＤ）、白熱電球などにより構成され、本実施例一の照明部（１３）は本体（１）のケース機構上四つの角（四辺角）に設けられ、照明部（１３）には更にランプシェードを装着でき、使用者の好みでカラーやデザインを変えることができます、例えば：花型、蝶型、ダブルハート型などいろいろなデザインがあります。
【００１５】
前述の照明を備えるディスプレイ装置での本体（１）が必要とする電源は外部電源から電力が提供され、照明部（１３）が必要とする電源は本体（１）から電源分配または外部電源から供給することができます、外部電源は交流または直流電源（電池）を要します。使用者は実際使用する際に、本体（１）と照明部（１３）に共同の電源を用いることが出来、または分かれて独立した電源スイッチを設けることも出来ます、これにより使用者は個別にディスプレイ装置か照明部（１３）を単独して使うことが出来、且つ同時にディスプレイ装置と照明部（１３）を使うことも出来ます、前述の照明部（１３）の電源は更に多段調整式照明モジュールを使い、照明の位置や光度を調整することも出来ます。
【００１６】
前述された図１から図４までの実施例以外に、本考案のディスプレイ装置の照明部は本体（１）のケース機構に任意に設置でき：上面、両側、底部、スタンド、台座部分、フック、フレーム、正面、背面そして四辺の角。又、使用者は需要により照明部電源の多段式照明モジュールにより照明の位置及び光度を調整することが出来ます。
【００１７】
本考案は照明を備えるディスプレイ装置です、使用者に照明を提供し、使用者の需要により照明の位置と光度が選択でき、本考案は非常に進歩性ある効果を持っており実用新案出願要件を満たしており出願の受理をよろしくお願い致します。
【００１８】
以上にて本考案の詳細説明を致しました、以上の実施例は本考案においての優れた実施例であり、本考案の実施範囲を限定する物ではありません。本考案出願範囲内にて加えた変化や装飾などすべて本考案の特許範囲内と見なされるます。
【符号の説明】
【００１９】
１  本体
１０  照明部
１１  照明部
１２  照明部
１３  照明部
２  スタンド
３  台座
【図１】
0003149804.tif 000003
【図２】
0003149804.tif 000004
【図３】
0003149804.tif 000005
【図４】
0003149804.tif 000006
【手続補正書】
【提出日】平成21年2月10日(2009.2.10)
【手続補正１】
【補正対象書類名】実用新案登録請求の範囲
【補正対象項目名】全文
【補正方法】変更
【補正の内容】
【実用新案登録請求の範囲】
【請求項１】
照明機能を備えるディスプレイ装置は以下の部分を含む：
一本体、ケース状の機構を設け、本体に画像表示機能を持つディスプレイ及び；
一照明部、照明部には照明用光源を設け；
その中、照明部は本体のケース状機構に設けられている。
【請求項２】
前記照明があるディスプレイ装置の本体はディスプレイ、テレビまたはデジタルフォトフレームなどの形態であることを特徴とする請求項1に記載する照明を備えるディスプレイ装置。
【請求項３】
前記照明があるディスプレイ装置の本体については一本のスタンドと一つの台座があり、スタンドは本体を支え台座と連結しているものであることを特徴とする請求項２に記載する照明を備えるディスプレイ装置。
【請求項４】
前記照明があるディスプレイ装置の本体と照明部には共同の電源を備えていることを特徴とする請求項３に記載する照明を備えるディスプレイ装置。  
【請求項５】
前記照明があるディスプレイ装置の本体と照明部にはひとつづつ独立した電源を備えている  ことを特徴とする請求項４に記載する照明を備えるディスプレイ装置。
【請求項６】
前記照明があるディスプレイ装置の照明部の電源には多段切り替え式照明モジュールを備えていることを特徴とする請求項５に記載する照明を備えるディスプレイ装置。
【請求項７】
前記照明があるディスプレイ装置の照明部には複数の発光コンポーネントを備える、また発光コンポーネントにはＬＥＤ、白熱電球又はハロゲンランプが使われることを特徴とする請求項６に記載する照明を備えるディスプレイ装置。
【請求項８】
前記照明があるディスプレイ装置の照明部は本体ケース機構の上面、両側、底部、正面、背面そして四辺の角などに設置される物であることを特徴とする請求項７に記載する照明を備えるディスプレイ装置。
【請求項９】
前記照明があるディスプレイ装置の照明部は本体ケース機構のスタンド又は台座の上に設置される物であることを特徴とする請求項６に記載する照明を備えるディスプレイ装置。  
【請求項１０】
前記照明があるディスプレイ装置には少なくとも一つのランプシェードが設置でき、該当する照明部をシェードできることを特徴とする請求項８または９に記載する照明を備えるディスプレイ装置。